(57)【特許請求の範囲】
【請求項１】
液透過性の表面シートと、液難透過性の裏面シートと、これらシート間に配された吸収体とを備え、腹側部、背側部及び股下部に区分された吸収性物品であって、
前記裏面シートの外表面側には、前記腹側部側に、キャラクターを正面視した絵柄が多色で形成され、前記背側部側に、キャラクターを背面視した絵柄が単一の色度の色で形成されており、
前記背側部側の前記絵柄の輪郭は、前記腹側部側の前記絵柄の輪郭を反転した形状と同形同大であり、
前記腹側部側の前記絵柄は、ＪＩＳ  Ｚ  ８７２９に規定するＬ＊ａ＊ｂ＊表示系において、Ｌ＊＝４０〜６０、ａ＊＝−６０〜−１０、及びｂ＊＝−６０〜−２０を満たす２色以上の有色を用いて形成されており、
前記２色以上の有色の、下記式（１）で求められるΔＥ＊ａｂの値が５以上である吸収性物品。
ΔＥ＊ａｂ＝［（ΔＬ＊）２＋（Δａ＊）２＋（Δｂ＊）２］１／２・・・（１）
（ただし、ΔＬ＊、Δａ＊、Δｂ＊は、前記２色以上の有色間のＬ＊値、ａ＊値、ｂ＊値の差である。）
【請求項２】
前記背側部側の前記絵柄は、グラデーションを付けて形成されている請求項１に記載の吸収性物品。
【請求項３】
前記裏面シートと前記吸収体との間に、色の変化により排尿を知らせるインジケーターが配されており、該インジケーターは、前記腹側部側の前記絵柄から前記背側部側の前記絵柄に亘って配されている請求項１又は２に記載の吸収性物品。
【請求項４】
請求項１〜３の何れか１項に記載の吸収性物品をパッケージに収容してなる吸収性物品の包装構造体であって、
前記包装構造体の正面に前記キャラクターを正面視した前記絵柄が多色で形成され、前記包装構造体の背面に前記キャラクターを背面視した前記絵柄が単一の色度の色で形成されている包装構造体。
【発明の詳細な説明】
【技術分野】
【０００１】
本発明は、使い捨ておむつ等の吸収性物品に関する。
【背景技術】
【０００２】
従来より、育児者又は幼児が、製品の前側と後側との区別を容易に認識できるように、製品の前側と後側に印刷を施した使い捨ておむつが種々提案されている。
例えば、特許文献１には、前身頃と後身頃とでデザインの組み合わせを異ならせた吸収性物品が開示されている。特許文献１に記載の吸収性物品によれば、育児者は製品の前側と後側とを容易に区別することができ、知育の発達の進んだ幼児も、製品の前側と後側とを区別することができるかもしれない。
【０００３】
しかしながら、特に、幼児期の知育の発達状態は個人差が大きく、特許文献１に記載の吸収性物品では、何れの知育の発達状態の幼児も、製品を手にした時点で、製品の前側と後側とを容易に区別することができない。また、特許文献１には、製品の前側に印刷されるデザイン及び後側に印刷されるデザインに関し、所定の色を付与することについては何ら記載されていない。
【先行技術文献】
【特許文献】
【０００４】
【特許文献１】特開２００３−１９９７９１号公報
【発明の概要】
【発明が解決しようとする課題】
【０００５】
したがって、本発明の課題は、前述した従来技術が有する欠点を解消し得る吸収性物品を提供することにある。
【課題を解決するための手段】
【０００６】
本発明は、液透過性の表面シートと、液難透過性の裏面シートと、これらシート間に配された吸収体とを備え、腹側部、背側部及び股下部に区分された吸収性物品であって、前記裏面シートの外表面側には、前記腹側部側に、キャラクターを正面視した絵柄が多色で形成され、前記背側部側に、キャラクターを背面視した絵柄が単一の色度の色で形成されており、前記背側部側の前記絵柄の輪郭は、前記腹側部側の前記絵柄の輪郭を反転した形状と同形同大である吸収性物品を提供するものである。
【発明の効果】
【０００７】
本発明の吸収性物品によれば、着用する幼児はもちろんのこと、育児者も、製品を手にした時点で、製品の前側と後側とを容易に区別することができる。
【図面の簡単な説明】
【０００８】
【図１】図１は、本発明の本実施形態であるパンツ型使い捨ておむつを展開して伸長した状態を表面シート側から見た展開平面図である。
【図２】図２は、本発明の本実施形態であるパンツ型使い捨ておむつを腹側部側からみた平面図である。
【図３】図３は、本発明の本実施形態であるパンツ型使い捨ておむつを背側部側からみた平面図である。
【図４】図４（ａ）は、腹側部側の絵柄の他の例であり、図４（ｂ）は、背側部側の絵柄の他の例である。
【図５】図５（ａ）は、腹側部側の絵柄の他の例であり、図５（ｂ）は、背側部側の絵柄の他の例である。
【図６】図６（ａ）は、腹側部側の絵柄の他の例であり、図６（ｂ）は、背側部側の絵柄の他の例である。
【図７】図７（ａ）は、図１に示す展開型の使い捨ておむつをパッケージに収容してなる包装構造体を正面側からみた斜視図であり、図７（ｂ）は、図１に示す展開型の使い捨ておむつをパッケージに収容してなる包装構造体を背面側からみた斜視図である。
【図８】図８は、図１に示す展開型の使い捨ておむつをパッケージに収容してなる他の形態の包装構造体を正面側からみた斜視図である。
【発明を実施するための形態】
【０００９】
以下、本発明の吸収性物品を、その好ましい実施形態に基づき、図１〜図３を参照しながら説明する。
【００１０】
本実施形態の使い捨ておむつ１（以下、「おむつ１」ともいう。）は、液透過性の表面シート２１と、液不透過性の裏面シート２２と、これらシート２１，２２間に配された吸収体２３とを備え、腹側部Ａ、背側部Ｂ及び股下部Ｃに区分された使い捨ておむつである。
おむつ１は、図１〜図３に示すように、中心線ＣＬに対して左右対称に形成されている。
尚、各図中に示す「Ｙ」方向は、おむつ１の縦方向であり、中心線ＣＬに平行な方向であり、各図中に示す「Ｘ」方向は、おむつ１の幅方向であり、中心線ＣＬに垂直な方向である。以下、具体的に、おむつ１について説明する。
【００１１】
おむつ１は、図１に示すように、液透過性の表面シート２１と、液不透過性（撥水性も含む）の裏面シート２２と、両シート２１，２２間に介在する吸収体２３とを有する実質的に縦長の吸収性本体２、及び吸収性本体２の裏面シート２２側に配され接着固定された外層体３を備えている。おむつ１は、図１に示すように、その縦方向（Ｙ方向）に、腹側部Ａ、股下部Ｃ及び背側部Ｂに区分されている。おむつ１Ａの腹側部Ａは、装着時に、装着者の腹側に配される部位であり、背側部Ｂは、装着者の背側に配される部位であり、股下部Ｃは、装着者の股間部に配される部位である。
尚、本明細書において、「肌対向面」とは、吸収性本体２などの各部材の表裏両面のうち、装着時に装着者の肌側に配される面であり、「非肌対向面」とは、吸収性本体２などの各部材の表裏両面のうち、装着時に装着者の肌側とは反対側に向けられる面である。
【００１２】
おむつ１において、吸収体２３は、図１に示すように、縦方向（Ｙ方向）中央部分が内方に括れた砂時計状である。表面シート２１及び裏面シート２２は、図１に示すように、それぞれ長方形状であり、吸収体２３の縦方向（Ｙ方向）の両端縁から延出した部分において互いに接合され、幅方向（Ｘ方向）の両端縁から延出した部分においても互いに接合されている。このように接合することにより、縦長の長方形状の吸収性本体２が形成されている。おむつ１は、図１に示すように、吸収性本体２の裏面シート２２側に配され固定された外層体３を有している。
【００１３】
外層体３は、図１に示すように、吸収性本体２の外方全域に亘って延出しており、縦方向（Ｙ方向）中央部において内方に括れている。おむつ１における外層体３の腹側部Ａの両側縁部３ａ，３ａの内面と背側部Ｂの両側縁部３ｂ，３ｂの内面同士を互いに重ね合わせ、合掌状に融着して、一対のサイド接合部４，４を形成することにより、図２，図３に示すように、ウエスト開口部ＷＯ及び一対のレッグ開口部ＬＯ，ＬＯを有するおむつ１が形成される。
【００１４】
外層体３は、図１〜図３に示すように、パンツ型使い捨ておむつの最外表面となる外層シート３１及び外層シート３１の内面側に配されている内層シート３２から形成されている。外層体３を構成する外層シート３１及び内層シート３２の間には、図１〜図３に示すように、腹側部Ａの両側縁部３ａ，３ａ間及び背側部Ｂの両側縁部３ｂ，３ｂ間に亘って複数本の弾性部材が配されている。詳述すると、外層体３を構成する外層シート３１及び内層シート３２の間には、図１〜図３に示すように、弾性部材であるウエスト弾性部材２４、胴廻り弾性部材２５及びレッグ弾性部材２６が配されており、腹側部Ａ及び背側部Ｂの両側縁部３ａ，３ａ，３ｂ，３ｂそれぞれには、ウエスト弾性領域（ウエストギャザー）、胴回り弾性領域（胴回りギャザー）及び環状の一対のレッグ弾性領域（レッグギャザー）が形成されている。更に詳述すると、ウエスト弾性領域（ウエストギャザー）は、複数本のウエスト弾性部材２４を、図１〜図３に示すように、吸収性本体２より長手方向（Ｙ方向）外方に間欠的に配し、且つ外層体３の腹側部Ａにおける両側縁部３ａ，３ａ及び背側部Ｂにおける両側縁部３ｂ，３ｂ間に亘ってそれぞれ伸長状態で固着することにより形成されている。胴回り弾性領域（胴回りギャザー）も同様に、複数本の胴廻り弾性部材２５を、図１〜図３に示すように、ウエスト弾性部材２４と外層体３の括れとの間に長手方向（Ｙ方向）に間欠的に配し、且つ外層体３の腹側部Ａにおける両側縁部３ａ，３ａ及び背側部Ｂにおける両側縁部３ｂ，３ｂ間に亘って伸長状態で固着することにより形成されている。
【００１５】
レッグ弾性領域（レッグギャザー）は、腹側部Ａにおいては、複数本のレッグ弾性部材２６を、図１〜図３に示すように、腹側部Ａの一方（図１の左側）の側縁部３ａから腹側部Ａの一方（図１の左側）の括れに沿って固着し、股下部Ｃを通って、腹側部Ａの他方（図１の右側）の括れに沿って腹側部Ａの他方（図１の右側）の側縁部３ａに至るまで伸長状態で固着し、股下部Ｃの中央部（中心線ＣＬを含む部位）でカットすることにより形成されている。同様に、レッグ弾性領域（レッグギャザー）は、背側部Ｂにおいては、複数本のレッグ弾性部材２６を、図１〜図３に示すように、背側部Ｂの一方（図１の左側）の側縁部３ｂから背側部Ｂの一方（図１の左側）の括れに沿って固着し、股下部Ｃを通って、背側部Ｂの他方（図１の右側）の括れに沿って背側部Ｂの他方（図１の右側）の側縁部３ｂに至るまで伸長状態で固着し、股下部Ｃの中央部でカットすることにより形成されている。
【００１６】
おむつ１の裏面シート２２の外表面側には、図２に示すように、腹側部Ａ側に、キャラクターを正面視した絵柄５が多色で形成されている。おむつ１においては、裏面シート２２は外層体３で覆われているが、裏面シート２２の外表面側に形成された絵柄５は、外層体３越しに幼児や幼児の育児者等から視認可能なように形成されている。ここで、「外表面側」とは、裏面シート２２の外表面に絵柄５が直接形成されている場合のみならず、例えば、裏面シート２２が多層からなる場合には、裏面シート２２を構成する層の中の１層の表面に絵柄５が形成されており、おむつ１を見たときに、絵柄５の色が視認可能に形成されている場合も含む意味である。キャラクターは、おむつ１においては、図２に示すウサギをイメージしたものであるが、ウサギ以外の動物であってもよく、図４（ａ）に示す、例えば、てんとう虫をイメージした昆虫等の生き物であってもよく、図５（ａ），図６（ａ）に示す、例えば、童話の登場物、季節を表す登場人物の他、漫画等の登場物であってもよい。
尚、紙おむつを定常的に使用する月齢の子供が認識しやすいという観点からは、キャラクターが動物・昆虫等の生き物であることが、幼児とその幼児の育児者とのコミュニケーションを取る上で好ましい。
【００１７】
前記キャラクターを正面視した絵柄５は、おむつ１においては、図２に示すように、腹側部Ａから股下部Ｃに亘って形成されており、幼児が認識し易い観点から、Ｙ方向の大きさが１０〜６０ｍｍであることが好ましく３０〜４０ｍｍであることが更に好ましく、Ｘ方向の大きさが２０〜８０ｍｍであることが好ましく、３０〜７０ｍｍであることが更に好ましい。尚、Ｙ方向又はＸ方向の大きさとは、最もＹ方向に長い位置での大きさである。
おむつ１は、図２に示す状態において、Ｙ方向の大きさが１５０〜２７０ｍｍであり、Ｘ方向の大きさが８０〜１９０ｍｍである。
図２に示す状態のおむつ１の全表面積（Ｓ）に対する絵柄５の面積（Ｓ１）の比率（Ｓ１／Ｓ）は、上記観点から、１％〜７５％であることが好ましく、３０％〜６０％であることが更に好ましい。
【００１８】
絵柄５は、上述したように、多色で形成されているが、ここで言う「多色」とは、白色以外の有色が２以上用いられていることを意味する。おむつ１においては、図２に示すウサギの絵柄５は、ウサギの輪郭、目の部分、鼻の部分に黒色を用い、ほっぺの部分、耳の内方の部分にピンク色を用いて形成されており、有色を２色用いている。腹側部Ａ側の絵柄５の有色には、ＪＩＳ  Ｚ  ８７２９に規定する「Ｌ*ａ*ｂ*表示系」において、Ｌ*＝−６０〜５０、ａ*＝−６０〜６０、及びｂ*＝−６０〜６０を満たす色を２色以上用いて形成されていることが好ましく、幼児が寝ている場合に、目を覚まさないように、常夜灯下のような暗い所でおむつ換えをしても作業し易いように、Ｌ*＝４０〜６０、ａ*＝−６０〜−１０、及びｂ*＝−６０〜−２０を満たす色を２色以上用いて形成されていることが更に好ましい。ここで「Ｌ*ａ*ｂ*表色系」では、Ｌ*は明るさを、ａ*、ｂ*は色の方向を示しており、ａ*は略赤方向、−ａ*は略緑方向、ｂ*は略黄色方向、−ｂ*は略青方向を示している。
【００１９】
２以上の有色には、同系の色であっても、色差を変えた色を含んでもよい。例えば、図２に示すウサギの絵柄５においては、ほっぺの部分、耳の内方の部分にピンク色を用いているが、ほっぺの部分に用いるピンク色と、耳の内方の部分に用いるピンク色とで色差を変えた場合には、それぞれを別の有色として考えてもよい。色差は、人が十分に視覚で認識できる色の差であることが好ましく、具体的には、ΔＥ*ａｂの値が５以上であることが好ましく、１０以上であることがさらに好ましい。ここで、ΔＥ*ａｂは、下記式（１）で求められる。
ΔＥ*ａｂ＝［（ΔＬ*）2＋（Δａ*）2＋（Δｂ*）2］1/2・・・（１）
ここで、ΔＬ*、Δａ*、Δｂ*は、２色間のＬ*値、ａ*値、ｂ*値の差であり、例えば、図２に示すウサギの絵柄５においては、ΔＬ*は、ほっぺの部分におけるＬ*値と耳の内方の部分におけるＬ*値との差であり、Δａ*は、ほっぺの部分におけるａ*値と耳の内方の部分におけるａ*値との差であり、Δｂ*は、ほっぺの部分におけるｂ*値と耳の内方の部分におけるｂ*値との差である。これらの値は、日本電色工業株式会社製の簡易型分光色差計ＮＦ３３３（商品名）を用いて得ることができる。簡易型分光色差計ＮＦ３３３による計測方法においては、ステープラータイプにてφ４ｍｍのＮＤ１１０センサーを取り付けておき、該センサーの先端部にはＯリング（小）を用い、光源Ｃ／２、視野角２°でそれぞれの試料を計測する。
【００２０】
おむつ１の裏面シート２２の外表面側には、図３に示すように、背側部Ｂ側に、キャラクターを背面視した絵柄６が単一の色度の色で形成されている。おむつ１においては、裏面シート２２は外層体３で覆われているが、裏面シート２２の外表面側に形成された絵柄６は、外層体３越しに幼児や幼児の育児者等から視認可能なように形成されている。ここで、「単一の色度」とは、色相と彩度とが同じ色を意味し、具体的には、上述した「Ｌ*ａ*ｂ*表示系」において、ａ*及びｂ*の値が同じ色を意味する。従って、「単一の色度の色」とは、明度のみが異なる色、即ち、「Ｌ*ａ*ｂ*表示系」において、Ｌ*の値のみが異なる色は、単一の色度の色に含まれる意味である。単一の色度の色には、ａ*＝−６０〜６０、及びｂ*＝−６０〜６０を満たす色を用いて形成されていることが好ましく、色味の知育を行うとともに、幼児とその幼児の育児者とのコミュニケーションに役立つ観点から、ａ*＝−６０〜−１０，１０〜−６０、及びｂ*＝−６０〜−１０，１０〜−６０を満たす色を用いて形成されていることが更に好ましい。
【００２１】
また、「単一の色度の色で形成されている」とは、背側部Ｂ側の絵柄６の輪郭、及び輪郭の内部が、単一の色度の色で形成されていることを意味する。絵柄６は、おむつ１においては、図３に示すように、背側部Ｂから股下部Ｃに亘って形成されている。図３に示す背側部Ｂ側の絵柄６は、おむつ１の縦方向（Ｙ方向）において、図２に示す腹側部Ａ側の絵柄５と略同じ位置に配されており、幅方向（Ｘ方向）においも、図２に示す腹側部Ａ側の絵柄５と略同じ位置に配されている。
【００２２】
背側部Ｂ側の絵柄６の輪郭は、腹側部Ａ側の絵柄５の輪郭を反転した形状と同形同大に形成されている。具体的には、おむつ１の背側部Ｂ側の絵柄６は、図３に示すように、腹側部Ａ側のウサギをイメージした絵柄５の輪郭をひっくり返した形状に形成されており、図２に示す絵柄５の輪郭をひっくり返した形状と同じ形状で、同じ大きさに形成されている。尚、上述したように、腹側部Ａ側の絵柄５が、図４（ａ）に示すてんとう虫をイメージしたものである場合には、図４（ｂ）に示すように、背側部Ｂ側の絵柄６は、図４（ａ）に示すてんとう虫の絵柄５の輪郭を反転した形状に形成され、図５（ａ），図６（ａ）に示す童話の登場物をイメージしたものである場合には、図５（ｂ），図６（ｂ）に示すように、背側部Ｂ側の絵柄６は、図５（ａ），図６（ａ）に示す童話の登場物の絵柄の輪郭を反転した形状に形成される。
【００２３】
おむつ１の背側部Ｂ側の絵柄６は、イラスト性（ベタ塗りよりも立体感が生まれることで柔らかい印象になる）、通気性（インクの塗布された面は一般に透湿度が低下するため、必要なグラデーションにすることで必要以上に低下させない）の観点から、グラデーションを付けて形成されていることが好ましい。尚、グラデーションを付ける場合には、絵柄６の輪郭を明瞭にするために、絵柄６の輪郭にはグラデーションを付けず、及び輪郭の内部にグラデーションを付けることが好ましい。グラデーションを付ける際には、幅方向（Ｘ方向）に付けてもよく、縦方向（Ｙ方向）に付けてもよく、斜め方向に付けてもよい。グラデーションは（Y方向）で下方へ行くにつれて濃くなるものが、幼児が目にする絵本などでは、影が足元に描かれていることから、見慣れているため好ましい。
【００２４】
グラデーションを形成する各色の幅は、０．５〜２０ｍｍであることが好ましい。グラデーションを形成するに際し、の観点から、隣り合う色どうしのΔＬ*値は、３以上であることが好ましく、５以上であることがさらに好ましい。グラデーションが幅を持たずに、連続的に描かれている場合には、色の濃淡に対して垂直方向に５mmとった時に、ΔＬ*値が５以上あることが好ましい。
【００２５】
おむつ１においては、裏面シート２２と吸収体２３との間に、色の変化により排尿を知らせるインジケーター７が配されている。インジケーター７は、おむつ１においては、吸収体２３の被覆材と裏面シート２２との間に配されており、裏面シート２２の肌対向面（内表面）上に配されている。インジケーター７の色の変化は、裏面シート２２及び外層体３越しに外部から視認可能になっている。おむつ１のインジケーター７は、図１に示すように、幅方向（Ｘ方向）においては、幅方向（Ｘ方向）中央に配されている。また、おむつ１のインジケーター７は、縦方向（Ｙ方向）においては、腹側部Ａ側の絵柄５から背側部Ｂ側の絵柄６に亘って配されている。インジケーター７と絵柄５又は絵柄６とは、接していなくてもよく、インジケーター７は、絵柄５又は絵柄６の近傍まで延びていればよい。インジケーターの変色に対する視認性の良さの観点から、インジケーターの３０mm付近に配されていることが好ましい。
【００２６】
図７（ａ），図７（ｂ）には、上述のように形成されたおむつ１をパッケージ８に収容してなる吸収性物品（おむつ）の包装構造体１００を示している。包装構造体１００は、図７（ａ），図７（ｂ）中のＺ方向に長い直方体形状のものである。図７（ａ），図７（ｂ）中のＺ方向は、複数個の折り畳まれたおむつ１を重ねる方向、言い換えれば、おむつ１の厚み方向と同方向であり、図７（ａ），図７（ｂ）中のＸ方向は、折り畳まれたおむつ１の幅方向と同方向であり、図７（ａ），図７（ｂ）中のＹ方向は、折り畳まれたおむつ１の縦方向と同方向である。おむつ１を収容するパッケージ８は、可撓性を有するシートから形成されたものである。
【００２７】
包装構造体１００は、図７（ａ），図７（ｂ）に示すように、Ｘ方向に対向する一対の対向面（天面），（底面）と、Ｚ方向に対向する一対の対向面（側面），（側面）と、Ｙ方向に対向する一対の対向面（正面），（背面）とからなる六面体に形成されている。本実施形態の包装構造体１００は、Ｚ方向に対向する一対の対向面（側面），（側面）同士の間に、折り畳まれたおむつ１を複数個、Ｘ方向に２段重ねにして、一体的に圧縮した状態で収容して形成されている。収容される複数個のおむつ１は、各おむつ１の腹側部Ａ側の絵柄５が同じ方向に向くように重ね合わされている。
【００２８】
包装構造体１００の正面には、キャラクターを正面視した絵柄５が多色で形成され、包装構造体１００の背面には、キャラクターを背面視した絵柄６が単一の色度の色で形成されている。ここで、「正面」とは、店頭で並ぶ際に、顧客に対向するように向けられる面であり、商品名が一番大きく印刷される面を意味する。具体的には、本実施形態においては、図７（ａ）に示すように、包装構造体１００の正面には、ウサギをイメージした絵柄５が形成されたおむつ１の、腹側部Ａ側から見た状態をそのまま多色で印刷している。尚、本実施形態においては、図７（ａ）に示すように、腹側部Ａ側から見たおむつ１をそのまま印刷しているが、おむつ１の腹側部Ａ側の絵柄５と同じウサギをイメージした絵柄５のみを、おむつ１の腹側部Ａ側の絵柄５と同じ色で形成していてもよい。何れの場合にも、絵柄５を共通に使用することにより、包装構造体１００の正面とおむつ１の腹側部Ａに一貫性を持たせることができる。
【００２９】
また、本実施形態においては、図７（ｂ）に示すように、包装構造体１００の背面には、ウサギをイメージした絵柄６が形成されたおむつ１の、背側部Ｂ側から見た状態をそのまま単一の色度の色で印刷している。尚、本実施形態においては、図７（ｂ）に示すように、背側部Ｂ側から見たおむつ１を印刷しているが、おむつ１の背側部Ｂ側の絵柄６と同じウサギをイメージした絵柄６のみを、おむつ１の腹側部Ｂ側の絵柄６と同じ単一の色度の色で形成していてもよい。何れの場合にも、絵柄６を共通に使用することにより、包装構造体１００の背面とおむつ１の背側部Ｂに一貫性を持たせることができる。
【００３０】
本実施形態のおむつ１の形成材料について説明する。
裏面シート２２としては、それぞれ、通常、使い捨ておむつ等の吸収性物品に用いられるものであれば、特に制限なく用いることができ、液不透過性又は撥水性の樹脂フィルム、該樹脂フィルムと不織布の積層体等を用いることができる。尚、インジケーター７が外側から透けて見えるように、３０〜８０％の光透過率を有していることが好ましく、４０〜８０％の光透過率を有していることが更に好ましい。光透過率は、反射・透過率計（日本電色工業（株）製、商品名「ＮＤＨ−５０００」）で測定される。測定には、Ａ光源を用い、全光線透過率Ｔtの値を測定する。サンプル上の任意の点を１０点測定し、その平均値をもって光透過率の値とする。
同様な観点から、外層シート３は、裏面シート２２の外表面側に形成した絵柄５及び絵柄６が外側から透けてみえるように、外層シート３の光透過率が３０％以上であることが好ましく、４０％以上であることが更に好ましい。
【００３１】
裏面シート２２へ絵柄５を多色で形成したり、絵柄６を単一の色度の色で形成したりするには、フレキソ印刷、グラビア印刷などの各種印刷方法を用いる。包装構造体１００の正面の多色の絵柄５、及び背面の単一の色度の色の絵柄６についても、同じ方法により形成できる。
【００３２】
インジケーター７としては、通常、使い捨ておむつ等の吸収性物品に用いられるものであれば、特に制限なく用いることができる。例えば、裏面シート２２とは別のフィルム若しくは不織布等のシート材、又は裏面シート２２の内表面に直接、排泄物と接触することにより発色、変色又は消色する色材を塗布したものを用いることができる。例えば、色材としては、ｐＨ指示薬と酸化化合物の混合物等を用いることができる。
【００３３】
表面シート２１及び吸収体２３としては、それぞれ、通常、使い捨ておむつ等の吸収性物品に用いられるものであれば、特に制限なく用いることができる。例えば、表面シート２１としては、親水性且つ液透過性の不織布等を用いることができ、吸収体２３としては、吸収性ポリマーの粒子及び繊維材料から構成され、ティッシュペーパ（図示せず）によって被覆されているものを用いることができる。
【００３４】
外層体３を構成する外層シート３１と内層シート３２としては、通常、使い捨ておむつ等の吸収性物品に用いられるものであれば、特に制限なく用いることができる。例えば、外層シート３１及び内層シート３２としては、撥水性の不織布を用いることができる。
【００３５】
弾性部材であるウエスト弾性部材２４、胴廻り弾性部材２５及びレッグ弾性部材２６としては、通常、使い捨ておむつ等の吸収性物品に用いられるものであれば、特に制限なく用いることができる。例えば、ウエスト弾性部材２４、胴廻り弾性部材２５及びレッグ弾性部材２６としては、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる。
【００３６】
表面シート２１、裏面シート２３、外層シート３１及び内層シート３２等の固定には、通常、使い捨ておむつ等の吸収性物品に用いられる接着剤やヒートエンボス、超音波エンボス、高周波エンボス等の融着手段が用いられる。
【００３７】
次に上述した本発明の実施形態のおむつ１を使用した際の作用効果について説明する。
おむつ１は、図２，図３に示すように、腹側部Ａ側に、キャラクターを正面視した絵柄５が多色で形成され、背側部Ｂ側に、キャラクターを背面視した絵柄が単一の色度の色で形成されている。このように、腹側部Ａ側の絵柄５が多色で、背側部Ｂ側の絵柄６が単一の色度の色で形成されているので、着用する幼児はもちろんのこと育児者も、製品を手にした時点で、おむつ１の腹側部Ａと背側部Ｂとの違いを認識することができる。また、腹側部Ａ側の絵柄５がキャラクターを正面視した絵柄であり、背側部Ｂ側の絵柄６がキャラクターを背面視した絵柄であり、背側部Ｂ側の絵柄６の輪郭は、腹側部Ａ側の絵柄５の輪郭を反転した形状と同形同大であるので、着用する幼児はもちろんのこと育児者も、製品を手にした時点で、おむつ１の腹側部Ａと背側部Ｂとの違いが、おむつ１の前側及び後側であることを容易に区別することができる。特に、着用する幼児が、成長段階として“自分でおむつを履けるようになった段階”の幼児である場合に、おむつ１の前側及び後側であることを容易に区別することができる。
【００３８】
また、おむつ１は、図２，図３に示すように、インジケーター７が腹側部Ａ側の絵柄５から背側部Ｂ側の絵柄６に亘って配されている。その為、排尿によりインジケーター７の色が変化すると、絵柄５、絵柄６の色と比較でき、色の変化が分かり易く、育児者がおむつ１の交換時期を誤り難い。
【００３９】
また、おむつ１をパッケージ８に収容してなる包装構造体１００は、図７（ａ），図７（ｂ）に示すように、正面におむつ１の腹側部Ａ側の絵柄５と同じ絵柄５が多色で形成され、背面におむつ１の背側部Ｂ側の絵柄６と同じ絵柄６が単一の色度の色で形成されているので、包装構造体１００の正面及び背面の区別も、育児者のみならず着用する幼児が包装構造体１００を手にした時点で、判断することができる。
特に、本実施形態の包装構造体１００は、絵柄５及び絵柄６のみならず、図７（ａ），図７（ｂ）に示すように、正面に、腹側部Ａ側から見たおむつ１を印刷して、背面に、背側部Ｂから見たおむつ１を印刷していることで、製品（中身）とパッケージ（包装材）に一貫性を持たせることができる。
【００４０】
また、図８に示すように、パッケージ８に、サイド接合部４側から見たおむつ１を印刷し、おむつ１の腹側部Ａ及び背側部Ｂが１つの製品描写上に描かれた絵がある形態でも、パッケージ（包装材）と製品（中身）の一貫性を持たせる点で好ましい。
【００４１】
本発明の吸収性物品は、上述の実施形態のパンツ型の使い捨ておむつに何ら制限されるものではなく、適宜変更可能である。例えば、本発明の吸収性物品は、パンツ型の使い捨ておむつ以外にも、例えば、展開型の使い捨ておむつ等に好適に用いることができる。
【００４２】
また、吸収性物品は、幼児又は成人用の使い捨ておむつであってもよい。
【符号の説明】
【００４３】
１  展開型の使い捨ておむつ
２  吸収性本体
２１  表面シート
２２  裏面シート
２３  吸収体
２４  ウエスト弾性部材
２５  胴廻り弾性部材
２６  レッグ弾性部材
３  外層体
３ａ，３ｂ  側縁部
４  サイド接合部
５  キャラクターを正面視した絵柄
６  キャラクターを背面視した絵柄
７  インジケーター
８  パッケージ
１００  包装構造体
【図１】
0005631165.tif 000002
【図２】
0005631165.tif 000003
【図３】
0005631165.tif 000004
【図４】
0005631165.tif 000005
【図５】
0005631165.tif 000006
【図６】
0005631165.tif 000007
【図７】
0005631165.tif 000008
【図８】
0005631165.tif 000009